(57)【要約】【課題】内容物の取出形態を多様化して利便性を向上させた計量キャップを提供すること。【解決手段】計量部材５には、連通孔部１１ａを通過した内容物がストックされるストック室２４ａが形成されており、スライド部材６が、スライド孔部５ａ内において、ストック室２４ａと連通孔部１１ａとが連通されかつストック室２４ａと取出孔部２２ａとの連通が遮断されるストック位置と、ストック室２４ａと取出孔部２２ａとが連通されかつストック室２４ａと連通孔部１１ａとの連通が遮断される取出位置と、の間をスライド移動自在に嵌合され、装着部材４と計量部材５とが、ヒンジ部２１を介して連通孔部１１ａを開閉自在に互いに連結されている。【選択図】図１
2014091522.tif 000002
【特許請求の範囲】
【請求項１】
内容物が収容される容器本体の口部に装着されると共に、前記容器本体に連通する連通孔部が形成された装着部材と、
容器軸に交差するスライド軸に沿って延在すると共に前記連通孔部を通して容器本体内と連通するスライド孔部、及び前記連通孔部を通過した前記内容物を取り出す取出孔部が形成された計量部材と、
前記スライド孔部内において前記スライド軸方向にスライド移動自在に嵌合されるスライド部材と、
を備え、
前記計量部材及び前記スライド部材のうちの一方には、前記連通孔部を通過した前記内容物がストックされるストック室が形成されており、
前記スライド部材が、前記スライド孔部内において、前記ストック室と前記連通孔部とが連通されかつ前記ストック室と前記取出孔部との連通が遮断されるストック位置と、前記ストック室と前記取出孔部とが連通されかつ前記ストック室と前記連通孔部との連通が遮断される取出位置と、の間をスライド移動自在に嵌合された計量キャップであって、
前記装着部材と前記計量部材とが、ヒンジ部を介して前記連通孔部を開閉自在に互いに連結されていることを特徴とする計量キャップ。
【請求項２】
前記装着部材が、前記容器本体の口部に対して着脱自在に装着されることを特徴とする請求項１に記載の計量キャップ。
【発明の詳細な説明】
【技術分野】
【０００１】
本発明は、計量キャップに関する。
【背景技術】
【０００２】
従来から、例えば容器本体内に収容される錠剤などの内容物を所定量取り出すための計量キャップが知られている。このような計量キャップとして、例えば特許文献１に記載されている計量キャップは、容器本体の口部内に装着されており、口部の内周壁に固定保持されて容器本体内と隔離されると共に外部に連通する計量空間を形成する貯留部と、容器本体内の錠剤を計量空間に向けて一列に整列させるガイドレールと、ガイドレールの先端に位置する錠剤を１つずつ計量空間内に落下させる押圧ボタンと、を備えている。
この計量キャップでは、押圧ボタンを押下するごとに計量空間内に錠剤が１つずつ収容され、所望量の錠剤を計量した後に容器を傾倒姿勢とすることで、計量空間内の錠剤を外部に取り出している。
【先行技術文献】
【特許文献】
【０００３】
【特許文献１】特開２０１０−０５２７９３号公報
【発明の概要】
【発明が解決しようとする課題】
【０００４】
しかしながら、上記従来の計量キャップでは、所望数の錠剤を取り出すために押圧ボタンを複数回押下して１つずつ錠剤を計量空間内に落下させる必要があり、内容物の取出形態に改善の余地があった。
【０００５】
本発明は、前述の課題に鑑みてなされたもので、内容物の取出形態を多様化して利便性を向上させた計量キャップを提供することを目的とする。
【課題を解決するための手段】
【０００６】
本発明は、上記のような課題を解決するために以下のような手段を採用した。すなわち、本発明の計量キャップは、内容物が収容される容器本体の口部に装着されると共に、前記容器本体に連通する連通孔部が形成された装着部材と、容器軸に交差するスライド軸に沿って延在すると共に前記連通孔部を通して容器本体内と連通するスライド孔部、及び前記連通孔部を通過した前記内容物を取り出す取出孔部が形成された計量部材と、前記スライド孔部内において前記スライド軸方向にスライド移動自在に嵌合されるスライド部材と、を備え、前記計量部材及び前記スライド部材のうちの一方には、前記連通孔部を通過した前記内容物がストックされるストック室が形成されており、前記スライド部材が、前記スライド孔部内において、前記ストック室と前記連通孔部とが連通されかつ前記ストック室と前記取出孔部との連通が遮断されるストック位置と、前記ストック室と前記取出孔部とが連通されかつ前記ストック室と前記連通孔部との連通が遮断される取出位置と、の間をスライド移動自在に嵌合された計量キャップであって、前記装着部材と前記計量部材とが、ヒンジ部を介して前記連通孔部を開閉自在に互いに連結されていることを特徴とする。
【０００７】
この場合では、計量部材が装着部材に対してヒンジ部により接続されているので、計量部材を装着部材に対してヒンジ部回りで回動させて連通孔部を開閉させることにより、内容物の取出形態を変更することができ、計量キャップの利便性が向上する。
すなわち、計量部材を装着部材に装着して連通孔部を閉塞した状態では、スライド部材をストック位置とすることにより、連通孔部とストック室とが連通してストック室内に定量の内容物を収容し、その後スライド部材を取出位置までスライド移動させることにより、取出孔部とストック室とが連通して計量キャップの外部にストック室内の内容物を排出する。これにより、定量の内容物を取り出すことができる。また、計量部材を装着部材から取り外して連通孔部を開放した状態では、容器本体内の内容物を連通孔部を通して外部に直接排出する。これにより、ストック室の容積にかかわりなく任意の量の内容物を取り出すことができる。このように、計量部材による連通孔部の開閉によって内容物の取出形態を切り替えることで、内容物の取出形態を多様化することができ、計量キャップの利便性が向上する。
【０００８】
また、本発明では、前記装着部材が、前記容器本体の口部に対して着脱自在に装着されてもよい。
この場合では、装着部材を口部から取り外すことで、容器本体内に内容物を詰め替えることができる。
【発明の効果】
【０００９】
この発明にかかる計量キャップによれば、計量部材により連通孔部を開閉することによって、スライド部材をストック位置と取出位置との間でスライド移動させて定量の内容物を取り出す取出形態と、連通孔部から任意量の内容物を直接取り出す取出形態と、の間で取出形態を切り替えることができるので、内容物の取出形態を多様化することができる。
【図面の簡単な説明】
【００１０】
【図１】本発明の一実施形態における計量キャップを示す軸方向断面図である。
【図２】図１の計量キャップを示すＡ−Ａ矢視断面図である。
【図３】図１の計量キャップの使用方法を説明する説明図である。
【図４】同じく、図１の計量キャップの使用方法を説明する説明図である。
【図５】図４の計量キャップを示すＢ−Ｂ矢視断面図である。
【図６】同じく、図１の計量キャップの使用方法を説明する説明図である。
【発明を実施するための形態】
【００１１】
以下、本発明における計量キャップの一実施形態を、図面に基づいて説明する。なお、以下の説明に用いる各図面では、各部材を認識可能な大きさとするために縮尺を適宜変更している。
【００１２】
本実施形態における計量キャップ１は、図１に示すように、例えば錠剤の内容物Ｐ（図３参照）が収容される有底円筒状の容器本体２の円筒状の口部３に装着される有頂円筒状の装着部材４と、スライド孔部５ａが形成された計量部材５と、計量部材５内にスライド移動自在に配設されたスライド部材６と、スライド部材６をその移動方向に付勢する付勢バネ７と、を備える。なお、内容物Ｐの形態は、錠剤に限らず、粉末体や粒状体など他の形態であってもよい。
【００１３】
ここで、容器本体２、口部３及び装着部材４は、それぞれの中心軸線が共通軸上に位置した状態で配設されている。以下、この共通軸を容器軸Ｏと称し、図１において容器軸Ｏに沿って計量部材５側を上方、その反対側を下方とする。また、容器軸Ｏに直交する方向を径方向と称し、容器軸Ｏ回りに周回する方向を周方向と称する。さらに、本実施形態では、容器軸Ｏに直交するスライド部材６の移動方向（図１における左右方向）をスライド軸Ｏ’と称し、この図１においてスライド軸Ｏ’に沿ってスライド部材６が計量部材５の内側から突出する方向（図１における左側）を後方、その反対側（図１における右側）を前方とする。また、容器軸Ｏ及びスライド軸Ｏ’に直交する方向を左右方向と称する。
【００１４】
装着部材４は、図１に示すように、平面視で円板状の天壁部１１と、天壁部１１の外周縁から下方に向けて延設された円筒状の周壁部１２と、を有する。装着部材４は、口部３に螺着されているが、螺着以外の他の方法により着脱自在に装着されてもよい。
天壁部１１は、中央部に向かうにしたがって上方に向けて傾斜する円錐状をなしており、天壁部１１の中央部には、平面視で円形の連通孔部１１ａが形成されている。また、天壁部１１の後側部分には、スライド部材６の後述する底板部３１に向けてリブ部１３が突設されている。
周壁部１２の内周面には、口部３の外周面に形成された雄ネジ部と螺合する雌ネジ部が形成されている。
【００１５】
計量部材５は、装着部材４に対してヒンジ部２１を介して連結されており、平面視で円板状の頂壁部２２と、頂壁部２２の外周縁から下方に向けて突設された円筒状の外筒部２３と、外筒部２３よりも径方向内側において頂壁部２２から下方に向けて突設された楕円筒状の内筒部２４と、を有する。
頂壁部２２の中央部には、平面視で円形をなし、内筒部２４内に画成されるストック室２４ａと連通する取出孔部２２ａが形成されている。取出孔部２２ａは、平面視で連通孔部１１ａと重なっている。
【００１６】
外筒部２３の前端部分における下端縁は、ヒンジ部２１により周壁部１２の前端部分における上端縁に連結されている。そして、外筒部２３の後側部分には、後方から見て矩形状をなし、スライド部材６を挿通させる通過孔部２３ａが形成されている。また、外筒部２３における通過孔部２３ａの開口縁部には、図２に示すように、一対の係合突出部２３ｂが左右方向内側に向けて各別に突設されている。
【００１７】
内筒部２４の左右方向の長さは、スライド部材６の後述する底板部３１及び天板部３３それぞれの左右方向の長さよりも長く、図１及び図２に示すように、内筒部２４の上下両端部には、スライド部材６の後述する底板部３１及び天板部３３を挿通させる第１及び第２通過スリット２４ｂ、２４ｃが各別に形成されている。第１通過スリット２４ｂは、内筒部２４の下端部のうち後側部分から前側部分に向けて形成されており、第２通過スリット２４ｃは、内筒部２４の上端縁の前後両側部分に形成されている。
また、内筒部２４の左右両端部には、外筒部２３における通過孔部２３ａの左右両開口縁部に接続される一対の案内壁部２５が各別に形成されている。これら頂壁部２２及び一対の案内壁部２５によって、スライド軸Ｏ’に沿って延在すると共に後方に向けて開口するスライド孔部５ａが画成される。案内壁部２５には、上側部分を下側部分よりも肉厚とすることによって後述する第２係合突出部３２ａの上端縁が摺接する段部２５ａが形成されている。段部２５ａは、後述する第２係合突出部３２ａのスライド移動を案内することによって、この第２係合突出部３２ａが上下方向でがたつくことを抑制する。
さらに、図１及び図２に示すように、内筒部２４の後端部には、付勢バネ７の前端部が外装される円筒状の第１軸筒部２６が後方に向けて突設されている。
【００１８】
スライド部材６は、計量部材５のスライド孔部５ａ内で前後方向にスライド移動自在に配設されており、スライド軸Ｏ’に沿って延在する有底矩形筒状をなしている。スライド部材６は、平面視で矩形板状の底板部３１と、底板部３１の左右両端部から上方に向けて各別に突設された一対の側板部３２と、一対の側板部３２それぞれの上端縁を接続する天板部３３と、底板部３１、側板部３２及び天板部３３それぞれの後端縁を接続する後板部３４と、を有する。
【００１９】
底板部３１は、装着部材４のリブ部１３に摺接する。底板部３１は、前端縁が連通孔部１１ａよりも後方に位置しており、連通孔部１１ａを閉塞していない。そのため、ストック室２４ａは、連通孔部１１ａと連通している。
側板部３２は、図２に示すように、計量部材５の案内壁部２５に沿って前後方向に案内される。側板部３２の前端部には、案内壁部２５に摺接し、外筒部２３の第１係合突出部２３ｂと係合する第２係合突出部３２ａが左右方向外側に向けて各別に突設されている。このように第２係合突出部３２ａが第１係合突出部２３ｂと係合することにより、スライド部材６がさらに後方に移動することが規制される。
【００２０】
天板部３３は、図１及び図２に示すように、計量部材５の頂壁部２２に摺接しており、天板部３３の前後方向の中央部には、平面視で円形の上面開口部３３ａが形成されている。上面開口部３３ａは、頂壁部２２によって閉塞されている。また、天板部３３は、内筒部２４の第２通過スリット２４ｃに挿通されており、取出孔部２２ａを下方から閉塞している。そのため、ストック室２４ａは、上面開口部３３ａを介して取出孔部２２ａと連通しておらず、ストック室２４ａ内に収容される内容物Ｐは、取出孔部２２ａを通して排出されない。このように、ストック室２４ａが連通孔部１１ａと連通すると共にストック室２４ａと取出孔部２２ａとの間の連通が遮断されている位置をストック位置と称する。一方、スライド部材６を前方にスライド移動させると、上面開口部３３ａは、平面視で取出孔部２２ａと重なり、ストック室２４ａは、上面開口部３３ａを通して取出孔部２２ａと連通する。このように、スライド部材６の上面開口部３３ａを通してストック室２４ａが取出孔部２２ａと連通する位置を取出位置と称する。
【００２１】
後板部３４は、天板部３３の外周縁に沿う湾曲板状をなしており、後板部３４には、付勢バネ７の後端部が外装される第２軸筒部３５が前方に向けて突設されている。
【００２２】
付勢バネ７は、内筒部２４と後板部３４との間に配設されており、スライド部材６を後方に付勢している。なお、コイルバネで形成された付勢バネ７に替えて、断面矩形状の棒体を前後方向で互い違いに湾曲されることによって平面視で蛇腹状に形成されたバネなど、スライド部材６を後方に向けて付勢できれば、他の付勢手段を用いてもよい。
【００２３】
次に、以上のような構成の計量キャップ１の使用方法について説明する。
まず、定量の内容物Ｐを取り出す場合には、図３に示すように、容器本体２を把持した状態で計量キャップ１が装着された容器本体２を上下反転させ、計量キャップ１が下方を向く倒立姿勢とする。これにより、容器本体２内に収容された内容物Ｐが連通孔部１１ａを通って容器本体から流出し、ストック室２４ａ内に導かれる。これにより、容器本体２内の内容物Ｐがストック室２４ａ内にストックされる。
【００２４】
ストック室２４ａ内に所定量の内容物Ｐをストックしたら、図４及び図５に示すように、スライド部材６を計量部材５内に向けて前方に押し込み、取出位置に向けて前方にスライド移動させる。スライド部材６が取出位置まで移動すると、スライド部材６の底板部３１が第１通過スリット２４ｂ内に挿入されて連通孔部１１ａを閉塞する。また、取出孔部２２ａと上面開口部３３ａとが前後方向で位置合わせされ、取出孔部２２ａと上面開口部３３ａとが平面視で重なる。これにより、ストック室２４ａが上面開口部３３ａ及び取出孔部２２ａを通して計量部材５の外部と連通する。そのため、ストック室２４ａ内の内容物Ｐは、上面開口部３３ａ及び取出孔部２２ａを通して計量部材５の外部に排出される。
このとき、スライド部材６の底板部３１の前端縁が内筒部２４の下端部のうち前側部分に当接すると共に側板部３２の前端縁が内筒部２４に当接するので、スライド部材６は、取出位置から前方に向けてさらに移動することが規制される。
【００２５】
ストック室２４ａ内の内容物Ｐを排出した後、スライド部材６の押圧を解除する。スライド部材６は、図２及び図３に示すように、付勢バネ７の復元変形によって取出位置からストック位置に向けて後方にスライド移動される。ここで、外筒部２３の第１係合突出部２３ｂと側板部３２の第２係合突出部３２ａとが係合することにより、付勢バネ７によって後方に付勢されるスライド部材６がストック位置を越えて後方にスライド移動されることが防止される。
以上のようにして、容器本体２内に収容されている定量の内容物Ｐを計量して取り出す。
【００２６】
続いて、任意の量の内容物Ｐを取り出す場合には、図６に示すように、計量部材５を装着部材４に対してヒンジ部２１回りで回動させ、連通孔部１１ａを開放する。この際、スライド部材６も計量部材５と共に装着部材４に対してヒンジ部２１回りで回動する。そして、容器本体２を傾けることにより、容器本体２内に収容されている内容物Ｐを連通孔部１１ａから外部に直接取り出す。
なお、再び定量の内容物Ｐを計量して取り出したい場合には、計量部材５を装着部材４に対してヒンジ部２１回りで回動させて装着部材４に装着し、連通孔部１１ａを閉塞する。このとき、スライド部材６がストック位置にあるので、連通孔部１１ａとストック室２４ａとが連通している。
以上のようにして、容器本体２内に収容されている任意の量の内容物Ｐを取り出す。
【００２７】
以上のような構成の計量キャップ１によれば、ヒンジ部２１回りで計量部材５を装着部材４に対して回動させて連通孔部１１ａを開閉することにより、スライド部材６をストック位置と取出位置との間でスライド移動させることによって定量の内容物Ｐを取り出す取出形態と、連通孔部１１ａから任意の量の内容物Ｐを外部に直接取り出す取出形態と、の間で取出形態を切り替えることができる。また、ヒンジ部２１回りで計量部材５を装着部材４に対して回動させるだけで連通孔部１１ａを閉塞したときにストック室２４ａと連通孔部１１ａとを位置合わせすることができるので、操作性が良好である。
さらに、装着部材４を口部３から取り外すことで、容器本体２内に内容物Ｐを再充填することができる。
【００２８】
なお、本発明は上記実施形態に限定されるものではなく、本発明の趣旨を逸脱しない範囲において種々の変更を加えることができる。
例えば、スライド軸は、容器軸に交差していれば、直交していなくてもよい。
ストック室は、計量部材に形成されているが、スライド部材に形成されてもよい。この場合、連通孔部と取出孔部とがスライド軸方向で異なる位置に形成されており、ストック位置ではスライド部材に形成されたストック室と連通孔部とがスライド軸方向で位置合わせされてストック室内に内容物が収容され、取出位置ではストック室と取出孔部とがスライド軸方向で位置合わせされてストック室内の内容物が外部に排出される。
スライド部材を後方へ向けて付勢する付勢バネなどの付勢部材が設けられているが、付勢部材を設けなくてもよい。
スライド部材は、付勢バネによってストック位置に向けて後方に付勢されているが、取出位置に向けて前方に付勢されてもよい。
装着部材と計量部材とには、計量部材が不意にヒンジ部回りで回動して連通孔部を開放することを規制する係合部が各別に形成されてもよい。
ヒンジ部は、装着部材及び計量部材の前端部分に設けられているが、他の部分に設けられてもよい。
装着部材は、容器本体の口部に着脱自在に装着されているが、着脱自在でなくてもよい。
【産業上の利用可能性】
【００２９】
この発明によれば、内容物の取出形態を多様化して利便性を向上させた計量キャップに関して、産業上の利用可能性が認められる。
【符号の説明】
【００３０】
１  計量キャップ、２  容器本体、３  口部、４  装着部材、５  計量部材、５ａ  スライド孔部、６  スライド部材、１１ａ  連通孔部、２１  ヒンジ部、２２ａ  取出孔部、２４ａ  ストック室、Ｏ  容器軸、Ｏ’  スライド軸、Ｐ  内容物
【図１】
2014091522.tif 000003
【図２】
2014091522.tif 000004
【図３】
2014091522.tif 000005
【図４】
2014091522.tif 000006
【図５】
2014091522.tif 000007
【図６】
2014091522.tif 000008